Podtech/llm-jp-corpus-v4-ja_patent huggingface dataset:
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
単純ヘルペスウイルス（HSV）ポリペプチド、および薬学的に許容される担体を含む、薬学的組成物であって、
HSVポリペプチドが、UL48、UL49、またはICP0タンパク質の長さ50アミノ酸までの免疫原性断片からなり、免疫原性断片が、UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位を含む、薬学的組成物。
【請求項２】
免疫原性断片が、UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位からなる、請求項1記載の薬学的組成物。
【請求項３】
ポリペプチドが融合タンパク質である、請求項1記載の薬学的組成物。
【請求項４】
融合タンパク質が可溶性である、請求項3記載の薬学的組成物。
【請求項５】
アジュバントをさらに含む、請求項1記載の薬学的組成物。
【請求項６】
本質的に、UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位からなるアミノ酸配列を含むポリペプチドをコードするポリヌクレオチド。
【請求項７】
請求項6記載のポリヌクレオチドを含むベクター。
【請求項８】
請求項7記載のベクターによって形質転換した宿主細胞。
【請求項９】
請求項8記載の宿主細胞を培養する段階、およびそのようにして産生されたポリペプチドを回収する段階を含む、HSVポリペプチドを産生する方法。
【請求項１０】
請求項9記載の方法によって産生されたHSVポリペプチド。
【請求項１１】
請求項6記載のポリヌクレオチドおよび薬学的に許容される担体を含む薬学的組成物。
【請求項１２】
アジュバントをさらに含む、請求項11記載の薬学的組成物。
【請求項１３】
長さ50アミノ酸までのHSVポリペプチドをコードするポリヌクレオチド、および薬学的に許容される担体を含む薬学的組成物であって、HSVポリペプチドが、UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位を含む、薬学的組成物。
【請求項１４】
アジュバントをさらに含む、請求項13記載の薬学的組成物。
【請求項１５】
本質的に、UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位からなるアミノ酸配列を発現するように遺伝子改変された組み換え型ウイルス。
【請求項１６】
ワクシニアウイルス、カナリア痘ウイルス、またはアデノウイルスである、請求項15記載の組み換え型ウイルス。
【請求項１７】
請求項15記載のウイルスおよび薬学的に許容される担体を含む薬学的組成物。
【請求項１８】
アジュバントをさらに含む、請求項17記載の薬学的組成物。
【請求項１９】
UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位に含まれるエピトープを提示するように改変されている抗原提示細胞に、免疫細胞を接触させる段階を含む、HSVに対して指向される免疫細胞を作製する方法。
【請求項２０】
免疫細胞がT細胞である、請求項19記載の方法。
【請求項２１】
T細胞がCD4+またはCD8+ T細胞である、請求項20記載の方法。
【請求項２２】
請求項19記載の方法によって産生された免疫細胞。
【請求項２３】
HSV感染細胞を、請求項22記載の免疫細胞に接触させる段階を含む、HSV感染細胞を殺す方法。
【請求項２４】
単純ヘルペスウイルスを請求項22記載の免疫細胞に接触させる段階を含む、HSV複製を阻害する方法。
【請求項２５】
HSV感染細胞を請求項22記載の免疫細胞に接触させる段階を含む、抗ウイルスまたは免疫調節リンフォカインの分泌を増強する方法。
【請求項２６】
被験者におけるHSV感染細胞を請求項22記載の免疫細胞に接触させる段階を含む、HSV特異的抗体の産生を増強する方法。
【請求項２７】
UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位に含まれるエピトープを含む単離されたポリペプチドにHSV特異的T細胞を接触させる段階を含む、HSV特異的T細胞の増殖を増強する方法。
【請求項２８】
請求項1記載の組成物を被験者に投与する段階を含む、被験者におけるHSV感染症に対する免疫応答を誘導する方法。
【請求項２９】
請求項11記載の組成物を被験者に投与する段階を含む、被験者におけるHSV感染症に対する免疫応答を誘導する方法。
【請求項３０】
請求項1記載の組成物を被験者に投与する段階を含む、被験者におけるHSV感染症を治療する方法。
【請求項３１】
請求項11記載の組成物を被験者に投与する段階を含む、被験者におけるHSV感染症を治療する方法。
【請求項３２】
UL48（配列番号：2）のアミノ酸288位〜307位、UL49（配列番号：3）のアミノ酸14位〜22位、21位〜35位、45位〜59位、47位〜55位、49位〜57位、もしくは49位〜63位、またはICP0（配列番号：1）のアミノ酸288位〜307位、もしくは743位〜751位に含まれるエピトープを提示するように改変された抗原提示細胞を、被験者に投与する段階を含む、被験者におけるHSV感染症を治療する方法。
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
血管新生を調節するための方法であって、該方法は、ＶＥＧＦ遺伝子内に標的部位を含むゲノムを有するヒトでない動物にジンクフィンガータンパク質を導入する工程を包含し、これによって、該ジンクフィンガータンパク質が該標的部位に結合し、そしてそれによって、該ヒトでない動物での血管新生を調節する、方法。
【請求項２】
血管新生を調節するための医薬の製造における、ＶＥＧＦ遺伝子内の標的部位に結合するジンクフィンガータンパク質、または該ＶＥＧＦ遺伝子内の標的部位をコードする核酸の、使用。
【請求項３】
前記ジンクフィンガータンパク質が、調節ドメインを含む融合タンパク質である、請求項１または２に記載の方法または使用。
【請求項４】
前記融合タンパク質が、複数個の調節ドメインを含む、請求項３に記載の方法または使用。
【請求項５】
前記調節ドメインが、活性化ドメインである、請求項３に記載の方法または使用。
【請求項６】
前記活性化ドメインが、（ａ）ＶＰ１６、（ｂ）ｐ６５、ならびに（ｃ）（ａ）および（ｂ）の機能的フラグメントからなる群より選択される、請求項５に記載の方法または使用。
【請求項７】
前記調節ドメインが、抑制ドメインである、請求項３に記載の方法または使用。
【請求項８】
前記抑制ドメインが、（ａ）ＫＲＡＢ、（ｂ）メチル結合性ドメインタンパク質  ２Ｂ、（ｃ）ｖ−ＥｒｂＡ  抑制ドメイン、ならびに（ｄ）（ａ）、（ｂ）および（ｃ）の機能的フラグメントからなる群より選択される、請求項７に記載の方法または使用。
【請求項９】
前記ＶＥＧＦ遺伝子の複数個のスプライス改変体の発現が調節される、請求項１または２に記載の方法または使用。
【請求項１０】
前記導入する工程が、ジンクフィンガータンパク質をコードする核酸の導入を包含し、これによって、前記核酸が動物での前記ジンクフィンガータンパク質を生成するように発現される、請求項１に記載の方法。
【請求項１１】
前記ジンクフィンガータンパク質をコードする核酸が、医薬の製造において使用される、請求項２に記載の使用。
【請求項１２】
前記核酸が裸の形態である、請求項１または２に記載の方法または使用。
【請求項１３】
前記核酸が、発現ベクター内に含まれ、そしてプロモーターに作動可能に連結し、そして投与する工程が、該ベクターを前記細胞内に送達する工程を包含する、請求項１または２に記載の方法または使用。
【請求項１４】
前記発現ベクターが、ウイルス発現ベクターである、請求項１３に記載の方法または使用。
【請求項１５】
前記発現ベクターが、レトロウイルス発現ベクター、アデノウイルス発現ベクター、およびＡＡＶ発現ベクターからなる群より選択される、請求項１４に記載の方法または使用。
【請求項１６】
前記プロモーターが、誘導性プロモーターである、請求項１５に記載の方法または使用。
【請求項１７】
前記調節ドメインが、活性化ドメインを含み、そして前記標的部位への前記ジンクフィンガータンパク質の結合が、前記ＶＥＧＦ遺伝子の転写を活性化する、請求項３に記載の方法または使用。
【請求項１８】
前記動物が、創傷を有し、そして投与される前記量が該創傷を処置するに効果的である、請求項１に記載の方法。
【請求項１９】
前記血管新生の調節が、創傷治癒を促進する、請求項２に記載の使用。
【請求項２０】
前記血管新生の調節が、腫瘍を処置する、請求項１または２に記載の方法または使用。
【請求項２１】
前記標的部位が、ＶＯＰ３２Ｅによって認識されるヌクレオチド配列である、請求項１または２に記載の方法または使用。
【請求項２２】
前記ジンクフィンガータンパク質が、ＶＯＰ３２Ｅである、請求項１または２に記載の方法または使用。
【請求項２３】
前記ジンクフィンガータンパク質が、新規血管形成の阻害により、血管新生を調節する、請求項１または２に記載の方法または使用。
【請求項２４】
前記ジンクフィンガータンパク質が、新規血管形成の刺激により、血管新生を調節する、請求項１または２に記載の方法または使用。
【請求項２５】
前記血管が、高透過性でない、請求項２４に記載の方法または使用。
【請求項２６】
前記ジンクフィンガータンパク質が、以下の表:
【表３−１】
2004537260.tif 000001
【表３−２】
2004537260.tif 000002
【表４】
2004537260.tif 000003
に特定される標的部位に結合する、請求項１または２に記載の方法または使用。
【請求項２７】
前記ジンクフィンガータンパク質は、３つのジンクフィンガーを含み、ここで、該３つのジンクフィンガーのそれぞれにおける位置−１〜＋６が、以下の表：
【表３−１】
2004537260.tif 000004
【表３−２】
2004537260.tif 000005
の行に特定されるような７つの連続するアミノ酸によって占められ、ここで、Ｆ１は第１のジンクフィンガーに対する７つの連続するアミノ酸を表し、Ｆ２は第２のジンクフィンガーに対する７つの連続するアミノ酸を表し、そしてＦ３は第３のジンクフィンガーに対する７つの連続するアミノ酸を表す、請求項２６に記載の方法または使用。
【請求項２８】
前記ジンクフィンガータンパク質は、６つのジンクフィンガーを含み、ここで、該６つのジンクフィンガーのそれぞれにおける位置−１〜＋６が、以下の表：
【表４】
2004537260.tif 000006
の行に特定されるような７つの連続するアミノ酸によって占められ、ここで、Ｆ１は第１のジンクフィンガーに対する７つの連続するアミノ酸を表し、Ｆ２は第２のジンクフィンガーに対する７つの連続するアミノ酸を表し、Ｆ３は第３のジンクフィンガーに対する７つの連続するアミノ酸を表し、Ｆ４は第４のジンクフィンガーに対する７つの連続するアミノ酸を表し、Ｆ５は第５のジンクフィンガーに対する７つの連続するアミノ酸を表し、そしてＦ６は第６のジンクフィンガーに対する７つの連続するアミノ酸を表す、請求項２６に記載の方法または使用。
【請求項２９】
前記標的部位が、複数個のＶＥＧＦ遺伝子中に存在し、これによって、前記ジンクフィンガータンパク質は、該複数個の遺伝子中の該標的部位に結合し、この結合によって該複数個のＶＥＧＦ遺伝子の発現を調節する、請求項１または２に記載の方法または使用。
【請求項３０】
前記導入する工程が、前記動物内に複数個のジンクフィンガータンパク質を導入する工程を包含し、それぞれのジンクフィンガータンパク質が同じ遺伝子中の異なる標的部位に結合する、請求項１または２に記載の方法または使用。
【請求項３１】
前記ジンクフィンガータンパク質のそれぞれが、調節ドメインを含む融合タンパク質である、請求項３０に記載の方法または使用。
【請求項３２】
それぞれのジンクフィンガータンパク質が、異なる調節ドメインと融合している、請求項３１に記載の方法または使用。
【請求項３３】
前記血管新生の調節が、虚血を処置する、請求項１または２に記載の方法または使用。
【請求項３４】
前記虚血は、冠状動脈疾患に関連する、請求項３３に記載の方法または使用。
【請求項３５】
前記前記虚血は、末梢血管疾患に関連する、請求項３３に記載の方法または使用。
【手続補正書】
【提出日】平成17年6月20日(2005.6.20)
【手続補正１】
【補正対象書類名】特許請求の範囲
【補正対象項目名】請求項１００
【補正方法】変更
【補正の内容】
【請求項１００】
前記植物がパパイヤである、請求項99記載のトランスジェニック植物。
【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
ａ）配列番号８〜１０からなる配列群から選択されるアミノ酸配列を含むポリペプチドをコードする核酸分子、及び
ｂ）配列番号１及び３〜６からなる配列群から選択される核酸配列又はその相補的な配列を含む核酸分子
からなる群から選択されるＤＡＯポリペプチドをコードする単離又は精製核酸。
【請求項２】
ａ）配列番号８〜１０からなる配列群から選択されるアミノ酸配列を含むポリペプチド、
ｂ）配列番号１及び３〜６からなる配列群から選択される核酸配列を含む核酸分子によりコードされたポリペプチド
からなる群から選択される精製又は単離ＤＡＯポリペプチド。
【請求項３】
統合失調症、うつ病又は双極性障害の治療用候補分子を同定する方法であって、
ａ）ＤＡＯもしくはＤＤＯ又はそれらポリペプチドの生物学的に活性なフラグメントを試験化合物と接触させ、及び
ｂ）前記化合物が前記ポリペプチドの活性を選択的に阻害するかどうかを測定し、
該ポリペプチドの活性を選択的に阻害する試験化合物を、統合失調症、うつ病又は双極性障害の治療用候補候補分子として同定することを含む方法。
【請求項４】
統合失調症、うつ病又は双極性障害の治療用候補分子を同定する方法であって、
ａ）ＤＡＯもしくはＤＤＯ又はそれらポリペプチドの生物学的に活性なフラグメントを試験化合物と接触させ、及び
ｂ）前記化合物が選択的に前記ポリペプチドと結合するかどうかを測定し、
該ポリペプチドに選択的に結合する試験化合物を、統合失調症、うつ病又は双極性障害の治療用候補候補分子として同定することを含む方法。
【請求項５】
ＤＡＯポリペプチドのアンタゴニストをスクリーニングする方法であって、
ａ）請求項２に記載のＤＡＯポリペプチドのいずれかと試験化合物とを接触させ、
ｂ）ＤＡＯ活性のレベルを検出し、及び
ｃ）その活性と、試験化合物を用いない対照試験の活性とを比較し、対照に対してＤＡＯ活性のレベルを減少させる試験化合物をＤＡＯのアンタゴニストであると決定する方法。
【請求項６】
ＤＡＯのｍＲＮＡ又はポリペプチドの発現を阻害する化合物をスクリーニングする方法であって、
ａ）試験化合物の存在及び非存在下において、請求項２に記載のＤＡＯポリペプチドのいずれかを発現している細胞をインキュベーションし、及び、
ｂ）細胞内のＤＡＯｍＲＮＡ又はポリペプチドのレベルを検出する工程を含む方法。
【請求項７】
統合失調症、うつ病又は双極性障害との関連を検出する方法であって、生物学的サンプルにおけるＤＡＯ関連ビアレルマーカーのヌクレオチド又はその相補体の正体を確認することを含む方法。
【請求項８】
前記確認を、ハイブリダイゼーションアッセイ、配列決定アッセイ、ミクロ配列決定アッセイ又は酵素に基づくミスマッチ検出アッセイによって行う請求項７に記載の方法。
【請求項９】
集団におけるビアレルマーカーの対立遺伝子の頻度を評価する方法であって、
ａ）請求項７に記載の方法に従って、前記集団に由来する個体を前記ビアレルマーカーについて遺伝子型決定し、及び
ｂ）前記集団における前記ビアレルマーカーの比例発現を決定すること
を含む方法。
【請求項１０】
遺伝子型と形質との関連を検出する方法であって、
ａ）請求項７に記載の方法に従って、形質陽性集団において少なくとも１つのビアレルマーカーの頻度を測定し、
ｂ）請求項７に記載の方法に従って、コントロール集団において少なくとも１つのビアレルマーカーの頻度を測定し、及び
ｃ）統計学的に有意な関連が前記遺伝子型と前記形質との間に存在するかどうかを決定する工程を含む方法。
【請求項１１】
個体が統合失調症、うつ病又は双極性障害の危険にさらされるかどうかを決定する方法であって、
ａ）請求項７に記載の方法に従って少なくとも１つのビアレルマーカーを遺伝子型決定し、及び
ｂ）工程ａ）の結果を、統合失調症、うつ病又は双極性障害を発症する危険性と相関させることを含む方法。
【請求項１２】
前記ビアレルマーカーが、配列番号１、配列番号２４、配列番号２６及び配列番号２９に記載されるマーカーならびにそれらの相補体からなる群から選択される請求項７〜１１のいずれか１つに記載の方法。
【請求項１３】
統合失調症、うつ病又は双極性障害に対する素因又は感受性を検出する方法であって、
被験者から得られた核酸サンプルにおいて、ＤＡＯに関連する多型におけるヌクレオチド又はその相補体の正体を確認することを含む方法。
【請求項１４】
Ｄ−アミノ酸の対応α−ケト酸への変換を阻害する化合物を含む統合失調症又は双極性障害の治療用医薬品。
【請求項１５】
前記化合物がＤＡＯポリペプチド又はＤＤＯポリペプチドの活性を阻害する化合物である請求項１４に記載の医薬品。
【請求項１６】
ＤＡＯ又はＤＤＯのアンタゴニストを含む精神病、統合失調症、双極性障害、うつ病又は他の気分障害の治療用医薬品。
【手続補正書】
【提出日】平成17年3月3日(2005.3.3)
【手続補正１】
【補正対象書類名】特許請求の範囲
【補正対象項目名】全文
【補正方法】変更
【補正の内容】
【特許請求の範囲】
【請求項１】
細胞の増殖及び／又は分裂を刺激する方法であって、
a) 配列番号1に示される配列、
b) 配列番号2に示される配列、
c) 配列番号3に示される配列、及び
d) a)〜c)の配列のいずれかと少なくとも50％同一である配列、
からなる群より選択される配列を含むポリペプチドを、哺乳動物細胞と接触させるか、又はこれに挿入することを含む、前記方法。
【請求項２】
前記ポリペプチドがa)〜c)のいずれかと少なくとも80％同一である、請求項１に記載の方法。
【請求項３】
前記細胞が間葉細胞である、請求項１または２に記載の方法。
【請求項４】
前記ポリペプチドが、前記細胞中に該ポリペプチドをコードする発現ベクターを導入することにより提供される、請求項１〜３のいずれか１項に記載の方法。
【請求項５】
前記細胞を哺乳動物から取り出し、in vitroで培養し、前記ポリペプチドをコードするポリヌクレオチドを用いて形質転換又はトランスフェクトした後、哺乳動物中に戻す、請求項１〜３のいずれか１項に記載の方法。
【請求項６】
前記細胞を、前記ポリペプチドをコードするポリヌクレオチドを用いてin vivoで形質転換又はトランスフェクトする、請求項１〜３のいずれか１項に記載の方法。
【請求項７】
細胞の増殖及び／又は分裂を阻害する方法であって、
a) 配列番号1に示される配列、
b) 配列番号2に示される配列、
c) 配列番号3に示される配列、及び
d) a)〜c)の配列のいずれかと少なくとも50％同一である配列、
からなる群より選択されるポリペプチドをコードするポリヌクレオチドにハイブリダイズしかつそのポリヌクレチオドの翻訳を阻害する化合物を、哺乳動物細胞と接触させるか、又はこれに挿入することを含む、前記方法。
【請求項８】
哺乳動物細胞の増殖及び／又は分裂を刺激するポリペプチドの活性を調節する薬剤を同定する方法であって、
i) 該ポリペプチドを候補薬剤に曝露すること、及び
ii) 細胞の増殖及び／又は分裂を刺激する該ポリペプチドの能力を調節する候補薬剤の能力を評価すること、
を含み、該ポリペプチドが
a) 配列番号1に示される配列、
b) 配列番号2に示される配列、
c) 配列番号3に示される配列、及び
d) a)〜c)の配列のいずれかと少なくとも50％同一である配列、
からなる群より選択される配列を有する、前記方法。
【請求項９】
前記薬剤が細胞の増殖及び／又は分裂を刺激する前記ポリペプチドの能力を阻害する、請求項８に記載の方法。
【請求項１０】
前記薬剤が細胞の増殖及び／又は分裂を刺激する前記ポリペプチドの能力を増強する、請求項８に記載の方法。
【請求項１１】
哺乳動物間葉細胞を、シカ角軟骨細胞から得た条件化培地、もしくはその活性画分に曝露することを含む、前記間葉細胞の増殖及び／又は分裂を刺激する方法。
【請求項１２】
前記シカ角軟骨細胞が、前軟骨細胞、成熟軟骨細胞、肥大軟骨細胞、又はそれらの組合せからなる群より選択される、請求項１１に記載の方法。
【請求項１３】
実質的に精製されたポリペプチドであって、
a) 配列番号1に示される配列、及び
b) a)の配列と少なくとも90％同一である配列、
からなる群より選択される配列を含み、哺乳動物細胞の増殖及び／又は分裂を刺激することができる前記ポリペプチド。
【請求項１４】
前記配列がa)の配列と少なくとも95％同一である、請求項１３に記載のポリペプチド。
【請求項１５】
請求項１３または１４に記載のポリペプチドを含む融合タンパク質。
【請求項１６】
単離されたポリヌクレオチドであって、
a) 配列番号３３に示される配列、及び
b) a)の配列と少なくとも90％同一である配列、
からなる群より選択される配列を含み、哺乳動物細胞の増殖及び／又は分裂を刺激することができるポリペプチドをコードする前記ポリヌクレオチド。
【請求項１７】
高ストリンジェンシーな条件下で、請求項１６に記載のポリヌクレオチドにハイブリダイズするアンチセンスポリヌクレオチド。
【請求項１８】
請求項１６に記載のポリヌクレオチドを含むベクター。
【請求項１９】
請求項１８に記載のベクターを用いてトランスフェクト又は形質転換された宿主細胞。
【請求項２０】
請求項１３に記載のポリペプチドおよび製薬上許容される担体を含む組成物。
【請求項２１】
治療剤であって、
a) 配列番号1に示される配列、
b) 配列番号2に示される配列、
c) 配列番号3に示される配列、及び
d) a)〜c)の配列のいずれかと少なくとも50％同一である配列、
からなる群より選択される配列を含むポリペプチドからなる、細胞の増殖および／または分裂を刺激するための前記治療剤。
【請求項２２】
治療剤であって、
a) 配列番号1に示される配列、
b) 配列番号2に示される配列、
c) 配列番号3に示される配列、及び
d) a)〜c)の配列のいずれかと少なくとも50％同一である配列、
からなる群より選択されるポリペプチドをコードするポリヌクレオチドにハイブリダイズしかつその翻訳を阻害する化合物からなる、細胞の増殖および／または分裂を阻害するための前記治療剤。
【請求項２３】
前記化合物がdsRNAである請求項２２に記載の治療剤。
【手続補正書】
【提出日】平成17年7月14日(2005.7.14)
【手続補正１】
【補正対象書類名】特許請求の範囲
【補正対象項目名】全文
【補正方法】変更
【補正の内容】
【特許請求の範囲】
【請求項１】
変圧器（ＴＲ）及び該変圧器（ＴＲ）の一次巻線（ＷＰ）と直列に接続されているスイッチングトランジスタ（Ｔ１）を有する、切り替えモード電源であって、
該切り替えモード電源の第１の一次巻線（Ｗ１）は第１のダイオード（Ｄ１）を介して動作電圧（Ｖ１）を供給する電荷蓄積コンデンサ（Ｃ１）と接続されており、且つ第２のダイオード（Ｄ２）を有する直列回路を介して前記電荷蓄積コンデンサ（Ｃ１）と接続されており、
前記直列回路（Ｄ２、Ｃ２）の接合点（ａ）はインダクタンス（Ｌ１）を介して基準電位と接続されている、切り替えモード電源において、
第４のダイオード（Ｄ４）が前記基準電位と前記第１の接合点（ａ）との間に配置されており、前記インダクタンス（Ｌ１）と前記第１の接合点（ａ）との間の第２の接合点（ｂ）が前記変圧器（ＴＲ）の第２の二次巻線（Ｗ２）と接続されていることを特徴とする、切り替えモード電源。
【請求項２】
前記第２の接合点（ｂ）は整流素子（Ｄ３）、例えば第３のダイオード（Ｄ３）を介して前記第２の二次巻線（Ｗ２）の電荷蓄積コンデンサ（Ｃ３）と接続されている、請求項１記載の切り替えモード電源。
【請求項３】
前記第４のダイオードは前記第１のインダクタンス（Ｌ１）と前記第１の接合点（ａ）との間に配置されており、前記整流素子（Ｄ３）のアノードは前記第１のインダクタンス（Ｌ１）と前記第４のダイオード（Ｄ４）との間の接合点（ｂ）と接続されている、請求項１記載の切り替えモード電源。
【請求項４】
前記直列回路は前記第２のダイオード（Ｄ２）と直列に接続されている第２のコンデンサ（Ｃ２）を有し、前記第１の接合点（ａ）は前記第２のコンデンサ（Ｃ２）と前記第２のダイオード（Ｄ２）との間に配置されている、請求項１から３までのいずれか１項記載の切り替えモード電源。
【請求項５】
前記第２のダイオード（Ｄ２）は前記第１の二次巻線（Ｗ１）とは接続されておらず、前記第２の二次巻線（Ｗ２）または前記変圧器（ＴＲ）における別の二次巻線と接続されている、請求項１から４までのいずれか１項記載の切り替えモード電源。
【請求項６】
前記第２のダイオード（Ｄ２）は前記二次巻線（Ｗ２）の電荷蓄積コンデンサ（Ｃ３）と接続されている、請求項５記載の切り替えモード電源。
【請求項７】
フィルタ（Ｌ２、Ｃ４）が前記第２のダイオード（Ｄ２）と前記二次巻線（Ｗ２）との間に配置されている、請求項５または６記載の切り替えモード電源。
【手続補正書】
【提出日】平成17年7月4日(2005.7.4)
【手続補正１】
【補正対象書類名】特許請求の範囲
【補正対象項目名】請求項４４
【補正方法】変更
【補正の内容】
【請求項４４】
さらに、
前記第一の待ち時間防止データ・ストリームの全てのデータが前記クライアントによって受信された後、前記B個の第二の待ち時間防止データ・ストリームのうち任意の1つに前記クライアントを接続するステップと、
前記接続された第二の待ち時間防止データ・ストリームの全てのデータが前記クライアントによって受信された後、前記N個の対話型データ・ストリームのうち任意の1つに前記クライアントを接続するステップと、
を含む、請求項43に記載の方法。
【手続補正２】
【補正対象書類名】特許請求の範囲
【補正対象項目名】請求項６０
【補正方法】変更
【補正の内容】
【請求項６０】
さらに、
前記第一の待ち時間防止データ・ストリームの全てのデータが前記クライアントによって受信された後、前記B個の第二の待ち時間防止データ・ストリームの任意の1つに前記クライアントを接続するステップと、
前記接続された第二の待ち時間防止データ・ストリームの全てのデータが前記クライアントによって受信された後、前記N個の対話型データ・ストリームのうち任意の1つに前記クライアントを接続するステップと、
を含む、請求項59に記載の方法。
【手続補正３】
【補正対象書類名】特許請求の範囲
【補正対象項目名】請求項６５
【補正方法】変更
【補正の内容】
【請求項６５】
前記第一の待ち時間防止データ・ストリームがA個の第一の待ち時間防止データ・ストリームを有し、該方法において、
Ｉ．前記A個の第一の待ち時間防止データ・ストリームが［1からCまで］C個の第一のデータ・セグメントを含み、
II．c番目の先頭セグメントが前記A個の第一の待ち時間防止データ・ストリーム内で待ち時間防止時間間隔≦cTで反復されるように、データ・セグメントＩが前記A個の第一の待ち時間防止データ・ストリームにおいて配分され、
前記第二の待ち時間防止データ・ストリームがB個の第二の待ち時間防止データ・ストリームを有し、前記B個の第二の待ち時間防止データ・ストリームが、
Ｉ．前記データの前記先頭部分の少なくとも1つの先頭セグメントを含む先頭データ・ストリームであり、前記少なくとも1つの先頭セグメントが該先頭データ・ストリーム内で連続的に反復される、先頭データ・ストリームと、
II．複数の終了データ・ストリームであり、該終了データ・ストリームの各々が
・ 前記データの前記先頭部分の残りを含み、
・ 該終了データ・ストリーム内で連続的に反復され、かつ該方法において、連続する各終了データ・ストリームが粗ジャンプ・フレーム周期の時差を持つ、
複数の終了データ・ストリームと、
を含むので、
前記クライアントが前記B個の第二の待ち時間防止データ・ストリームに接続されるとき、前記クライアントが粗ジャンプ対話機能を実行できる、
請求項41に記載の方法。
【手続補正４】
【補正対象書類名】特許請求の範囲
【補正対象項目名】請求項６７
【補正方法】変更
【補正の内容】
【請求項６７】
さらに、
前記第一の待ち時間防止データ・ストリームの全てのデータが前記クライアントによって受信された後、前記第二の待ち時間防止データ・ストリームの前記先頭データ・ストリームに前記クライアントを接続するステップと、
その後、前記終了データ・ストリームのうち任意の1つに前記クライアントを接続するステップと、
接続された前記B個の第二の待ち時間防止データ・ストリームの全てのデータが前記クライアントによって受信された後、前記N個の対話型データ・ストリームのうち任意の1つに前記クライアントを接続するステップと、
を含む、請求項66に記載の方法。
【手続補正５】
【補正対象書類名】明細書
【補正対象項目名】００５０
【補正方法】変更
【補正の内容】
【００５０】
C.  二重ストリーミングIVODシステム（構成3）
IVODシステムの第三の例も、二重ストリーミング動作をその特徴とし、セグメントはフィボナッチ数に基づくサイズの階層周期フレーム構造に配列される。この場合にも、内容は規則的長さTのK個のセグメントに分割され、セグメントにはそれぞれ1からＫまでラベルが付けられる。セグメントは図6に示されるパターンで時差的ストリームに配される。また、2つのグループの時差的ストリームがある。
【手続補正６】
【補正対象書類名】明細書
【補正対象項目名】００７６
【補正方法】変更
【補正の内容】
【００７６】
構成1または2と構成3または4を組み合わせることによって、外部ユニキャスト・ストリームの助けがなくてもある程度のジャンプ機能を有するIVODシステムを構成することができる。このIVODシステムは、3つのグループ、すなわちグループＩ(1)及びグループII(2)の時差的ストリームを含む。グループＩ(1)データ・ストリームは、C個のセグメントを有するデータの配信を担当する合計でA個のデータ・ストリームを有する。同様に、グループＩ(2)データ・ストリームは、D個のセグメントを有するデータの配信を担当する合計でB個のデータ・ストリームを有し、B個のデータ・ストリームの各々は粗ジャンプ間隔の時差を持つ。粗ジャンプ間隔にはE個のデータ・セグメントがある。
【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
光ディスクの製造方法であって、
第一の樹脂層（１）に第一の半反射性データ層（３）を配設し、
第一の半反射性データ層（３）の第一の樹脂層（１）とは反対側の面に第一の全反射性データ層（５）の上面を配設し、
第一の全反射性データ層（５）と第一の半反射性データ層（３）の間に分離層（１１）を配設し、
第一の全反射性データ層（５）の下面に第二の樹脂層を配設し、
光ディスクの少なくとも一部に着色する
ことを含んでなり、第一の樹脂層（１）が所望の読取波長で６０％を超える光透過率を有し、第一の全反射性データ層（５）及び第一の半反射性データ層（３）の反射率が各々１８〜３０％であり、第一の全反射性データ層（５）と第一の半反射性データ層（３）との反射率の差が５％未満である、方法。
【請求項２】
さらに、第一の全反射性データ層（５）と第二の樹脂層の間に接着層を配設し、接着層（９）と第二の樹脂層の間に第二の全反射性データ層を配設することを含んでなり、第二の全反射性データ層の反射率が４５〜８５％である、請求項１記載の方法。
【請求項３】
さらに、第二の全反射性データ層と第二の樹脂層の間に第二の分離層を配設し、第二の分離層と第二の樹脂層の間に第二の半反射性データ層を配設することを含んでなり、第二の全反射性データ層と第二の半反射性データ層との反射率の差が５％未満であり、第一の分離層、第一の樹脂層、第二の分離層及び第二の樹脂層からなる群から選択される１以上の層が着色されている、請求項１記載の方法。
【請求項４】
反射率の差が４％以下である、請求項１記載の方法。
【請求項５】
着色が、分離層（１１）、トップコート、第一の樹脂層（１）又はこれらの層の１以上を含む組合せに着色剤を添加することからなる、請求項１記載の方法。
【請求項６】
前記着色剤が、アントラキノン類、ペリレン類、ペリノン類、インダントロン類、キナクリドン類、キサンテン類、オキサジン類、オキサゾリン類、チオキサンテン類、インジゴイド類、チオインジゴイド類、ナフタルイミド類、シアニン類、キサンテン類、メチン類、ラクトン類、クマリン類、ビスベンゾオキサゾリルチオフェン（ＢＢＯＴ）類、ナフタレンテトラカルボン酸誘導体、モノアゾ及びジアゾ顔料、トリアリールメタン、アミノケトン、ビス（スチリル）ビフェニル誘導体、及びこれらの着色剤の１種以上を含む組合せからなる群から選択される、請求項１記載の方法。
【請求項７】
前記樹脂が、非晶質熱可塑性樹脂、結晶質熱可塑性樹脂、半結晶質熱可塑性樹脂、熱硬化性樹脂及びこれらの樹脂の１種以上を含む組合せからなる群から選択される、請求項１記載の方法。
【請求項８】
前記樹脂が、ポリエーテルイミド、ポリエーテルエーテルケトン、ポリイミド、ポリ塩化ビニル、ポリオレフィン、ポリエステル、ポリアミド、ポリスルホン、ポリエーテルスルホン、ポリフェニレンスルフィド、ポリエーテルケトン、ＡＢＳ樹脂、ポリスチレン、ポリブタジエン、ポリアクリレート、ポリアクリロニトリル、ポリアセタール、ポリフェニレンエーテル、エチレン−酢酸ビニルコポリマー、ポリ酢酸ビニル、液晶ポリマー、エチレン−テトラフルオロエチレンコポリマー、芳香族ポリエステル、ポリフッ化ビニル、ポリフッ化ビニリデン、ポリ塩化ビニリデン、テトラフルオロエチレン−フルオロカーボンコポリマー、エポキシ樹脂、フェノール樹脂、アルキド樹脂、ポリウレタン、ポリシロキサン、ポリシラン、ビスマレイミド、シアン酸エステル、ビニル樹脂、ベンゾシクロブテン樹脂、並びにこれらの樹脂の１種以上を含むブレンド、コポリマー、反応生成物及び複合体からなる群から選択される、請求項７記載の方法。
【請求項９】
前記樹脂がポリカーボネートからなる、請求項１記載の方法。
【請求項１０】
第一の全反射性データ層（５）、第一の全反射性データ層（５）の上面に配設された第一の分離層（１１）、分離層（１１）の第一の全反射性データ層（５）とは反対側の面に配設された第一の半反射性データ層（３）、第一の半反射性データ層（３）の分離層とは反対側の上面に配設された第一の樹脂層（１）、及び第一の全反射性データ層（５）の下面に配設された第二の樹脂層（１）を含んでなる光ディスクであって、
第一の樹脂層（１）が所望の読取波長で６０％を超える光透過率を有し、
第一の全反射性データ層（５）及び第一の半反射性データ層（３）の反射率が各々１８〜３０％であり、
第一の全反射性データ層（５）と第一の半反射性データ層（３）との反射率の差が５％未満であり、
当該光ディスクの少なくとも一部が着色されている、光ディスク。
【手続補正２】
【補正対象書類名】明細書
【補正対象項目名】０００５
【補正方法】変更
【補正の内容】
【０００５】
これまで、市販されている再生専用又は記録用多層ＤＶＤはすべて無色の樹脂から作られている。各種ＤＶＤ間でみられる唯一の美的相違点は、メタライゼーション（つまり、データ層）に起因する。例えば、金を用いると金色のディスクが得られ、銀合金又はアルミニウムを用いると明るいシルバー外観が得られる。
【特許文献１】米国特許第５７０３８６８号明細書
【特許文献２】米国特許第５８２０９６１号明細書
【特許文献３】米国特許第５８４０３９５号明細書
【特許文献４】米国特許第６００７８８９号明細書
【特許文献５】米国特許第６１７７１６８号明細書
【非特許文献１】“ＤＶＤ  Ｄｅｍｙｓｔｉｆｉｅｄ：”，Ｊｉｍ  Ｔａｙｌｏｒ編，ＭｃＧｒａｗ  Ｈｉｌｌ，１９９８
【非特許文献２】Ｅｕｒｏｐｅａｎ  Ａｓｓｏｃｉａｔｉｏｎ  ｆｏｒ  Ｓｔａｎｄａｒｄｉｚｉｎｇ  Ｉｎｆｏｒｍａｔｉｏｎ  ａｎｄ  Ｃｏｍｍｕｎｉｃａｔｉｏｎ  Ｓｙｓｔｅｍｓ（「ＥＣＭＡ」）規格＃２６７
【手続補正書】
【提出日】平成17年8月1日(2005.8.1)
【手続補正１】
【補正対象書類名】特許請求の範囲
【補正対象項目名】全文
【補正方法】変更
【補正の内容】
【書類名】特許請求の範囲    【請求項１】  固体のダイアモンド層；  該固体のダイアモンド層上の最終的な単結晶半導体膜；及び  該最終的な単結晶半導体膜から単結晶半導体材料層を切断するために、前記最終的な単結晶半導体膜と該単結晶半導体材料層との間に画成された境界を備える前記最終的な単結晶半導体膜の直接上の単結晶半導体材料層；を有するウェハー。    【請求項２】  １５０ミクロン未満の厚さを有する固体のダイアモンド層；  該固体のダイアモンド層上の単結晶半導体材料層；  該単結晶半導体材料層に前記固体のダイアモンド層をボンディングするボンディング材；及び  前記固体のダイアモンド層に対向する前記単結晶半導体材料層の側面上の集積回路；を有する単一化ダイ。
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
複数のデータレーンにおいてデータを受取り、
目的地アドレスに対するアドレスオフセット値を決定し、
前記データを目的地アドレスに対応する１以上のデータレーンにシフトする方法。
【請求項２】
前記データレーンは、バイトレーンを含んでいる請求項１記載の方法。
【請求項３】
前記データの受取りは、データ素子のブロックの受取りを含んでいる請求項１記載の方法。
【請求項４】
前記データの受取りは、データの多バイトブロックを検索するためのメモリのバーストアクセスを含んでいる請求項３記載の方法。
【請求項５】
データのブロックはアクセスのために有効ではないデータ素子を含んでいる請求項４記載の方法。
【請求項６】
前記データの受取りは、複数のデータレーン中の第１のメモリ装置からシフトレジスタへの複数のデータ素子の受取りを含んでおり、
前記第１のメモリ装置は第１のバス幅を有し、シフトレジスタは第２のバス幅を有している請求項１記載の方法。
【請求項７】
第２のバス幅は第１のバス幅よりも大きい請求項６記載の方法。
【請求項８】
前記シフトはシフトレジスタ中のデータのシフトを含んでいる請求項１記載の方法。
【請求項９】
さらに、第２のメモリ装置に書込まれるデータのサブブロック中の第１の有効なデータ素子に対応するデータ素子位置にポインタ値を変更する請求項８記載の方法。
【請求項１０】
前記変更はシフトレジスタ中のデータ位置の数によるポインタ値の変更を含み、前記数は受信されたデータの大きさに対応している請求項９記載の方法。
【請求項１１】
前記変更は、受信されたデータのバイトの大きさに対応しているバイト位置の数によるポインタ値のインクリメントを含んでいる請求項９記載の方法。
【請求項１２】
さらに、第２のメモリ装置にシフトされたデータを書込み、
前記変更は、シフトレジスタ中のデータ位置の数によるポインタ値の変更を含み、この数は受信されたデータの大きさに対応している使用する請求項９記載の方法。
【請求項１３】
前記変更は、書込まれたデータのバイトの大きさに対応するバイト位置の数によるポインタ値のデクリメントを含んでいる請求項１１記載の方法。
【請求項１４】
さらに、ポインタ値に応答するシフトレジスタの状態を指示する請求項９記載の方法。
【請求項１５】
前記状態は空の状態である請求項１４記載の方法。
【請求項１６】
前記状態は満杯の状態である請求項１４記載の方法。
【請求項１７】
第１のメモリ装置に対するアクセスを制御してそのアクセスにおいて検索されたデータ素子に対して目的地アドレスを割当てるように動作するメモリ制御装置と、
アクセスにおいて検索された複数のデータ素子を受信するように動作する供給メモリ装置と、
複数のデータレーンを有し、供給メモリ装置からローカルメモリに書込まれる複数のデータ素子を受信するように動作する受信メモリ装置と、
データフォーマット装置とを具備し、そのデータフォーマット装置は、
供給メモリ装置からデータ素子を受信し、供給メモリ装置からのデータの受信および受信メモリ装置へのデータの書込みに応答してデータ素子をシフトするように動作するシフトレジスタと、
目的地アドレスに対応する１以上のデータレーン中へ前記データ素子をシフトするために目的地アドレスに対するアドレスオフセット値を決定するように動作するポインタ管理装置とを具備している装置。
【請求項１８】
前記メモリ制御装置は、マルチバイトのデータブロックを検索するバーストアクセスを制御するように動作するバーストアクセスメモリを備えている請求項１７記載の装置。
【請求項１９】
前記供給メモリ装置は、ランダムアクセスメモリ（ＲＡＭ）を含んでいる請求項１７記載の装置。
【請求項２０】
前記受信メモリ装置は、先入れ先出（ＦＩＦＯ）メモリを含んでいる請求項１７記載の装置。
【請求項２１】
供給メモリ装置は第１のバス幅を有し、シフトレジスタは第２のバス幅を有し、
第２のバス幅は第１のバス幅よりも大きい請求項１７記載の装置。
【請求項２２】
第２のバス幅は第１のバス幅の４倍の大きさである請求項２１記載の装置。
【請求項２３】
前記ポインタ管理装置は、第２のメモリ装置に書込まれるデータのサブブロック中の第１の有効なデータ素子の位置に対応しているシフトレジスタ中のデータ素子位置にポインタ値を変更するように動作する請求項１７記載の装置。
【請求項２４】
前記ポインタ管理装置は、ポインタ値に応答してシフトレジスタの状態を示す信号を生成するように動作する請求項２３記載の装置。
【請求項２５】
状態は空の状態である請求項２４記載の装置。
【請求項２６】
状態は満杯の状態である請求項２４記載の装置。
【請求項２７】
マシン実行可能な命令を含んでいるマシン読取り可能な媒体を有するアーティクルにおいて、前記命令は、
複数のデータレーン中のデータを受信し、
目的地アドレスに対するアドレスオフセット値を決定し、
前記データを目的地アドレスに対応する１以上のデータレーンへシフトするようにマシンを制御する動作を行わせるようにマシンを制御するアーティクル。
【請求項２８】
データレーンはバイトレーンを含んでいる請求項２７記載の装置。
【請求項２９】
データをマシンに受信させるように動作させる命令は、マシンにデータ素子のブロックを受信させるように動作させる命令を含んでいる請求項２７記載の装置。
【請求項３０】
さらに、第２のメモリ装置に書込まれるデータのサブブロック中の第１の有効なデータ素子に対応するデータ素子位置にポインタ値を変更するようにマシンを動作させる命令を含んでいる請求項２７記載の装置。
【請求項３１】
さらに、ポインタ値に応答してシフトレジスタの状態をマシンに指示させる命令を含んでいる請求項３０記載の装置。
【請求項３２】
前記状態は空の状態である請求項３１記載の装置。
【請求項３３】
前記状態は満杯の状態である請求項３１記載の装置。
【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  移植された器官、組織または細胞の拒絶を治療または予防するために使用される、シクロスポリンと組み合わせたケモカイン受容体アンタゴニスト。
【請求項２】  ケモカイン受容体アンタゴニストとシクロスポリンを、同時に、別々にまたは連続して使用する、請求項１記載のシクロスポリンと組み合わせたケモカイン受容体アンタゴニスト。
【請求項３】  ケモカイン受容体アンタゴニストがアミノ末端を削除されたケモカインである、請求項１または２記載のシクロスポリンと組み合わせたケモカイン受容体アンタゴニスト。
【請求項４】  ケモカイン受容体アンタゴニストがアミノ末端を伸長されたＲＡＮＴＥＳである、請求項１または２記載のシクロスポリンと組み合わせたケモカイン受容体アンタゴニスト。
【請求項５】  ケモカイン受容体アンタゴニストがＭｅｔ−ＲＡＮＴＥＳである、請求項１または２記載のシクロスポリンと組み合わせたケモカイン受容体アンタゴニスト。
【請求項６】  シクロスポリンがシクロスポリンＡ並にその代謝物または合成類似体の
間から選択される、請求項１ないし５のいずれか１項記載のシクロスポリンと組み合わせたケモカイン受容体アンタゴニスト。
【請求項７】  シクロスポリンがシクロスポリンＡである、請求項１ないし６のいずれか１項記載のシクロスポリンと組み合わせたケモカイン受容体アンタゴニスト。
【請求項８】  腎臓の同種移植片移植の治療または予防のための、請求項１ないし７のいずれか１項記載のシクロスポリンと組み合わせたケモカイン受容体アンタゴニスト。
【請求項９】   移植された器官、組織または細胞の拒絶を治療または予防するための、ケモカイン受容体アンタゴニストおよびシクロスポリンを含む薬剤組成物。
【請求項１０】   移植された器官、組織または細胞の拒絶を治療または予防する際に、その活性成分を、同時に、別々にまたは連続して使用するための、一つまたは複数の薬学上受容可能な賦形剤の存在下でケモカイン受容体アンタゴニストおよびシクロスポリンを含む薬剤組成物。
【請求項１１】   ケモカイン受容体アンタゴニストがアミノ末端を削除されたケモカインである、請求項９または１０記載の薬剤組成物。
【請求項１２】   ケモカイン受容体アンタゴニストがアミノ末端を伸長されたＲＡＮＴＥＳである、請求項９または１０記載の薬剤組成物。
【請求項１３】   ケモカイン受容体アンタゴニストがＭｅｔ−ＲＡＮＴＥＳである、請求項９または１０記載の薬剤組成物。
【請求項１４】   シクロスポリンがシクロスポリンＡ並びにその代謝物または合成類似体である、請求項９ないし１３の何れか１項記載の薬剤組成物。
【請求項１５】   シクロスポリンがシクロスポリンＡである、請求項１０ないし１４のいずれか１項記載の薬剤組成物。
【請求項１６】   腎臓の同種移植片移植の治療または予防のための、請求項９ないし１５のいずれか１項記載の薬剤組成物。
【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  オルトケイ酸の形成下、１３０℃よりも高い沸点を有し、−１０℃ないし４０℃の間で液体状態であり、および、０−４のｐＨで安定である無毒な溶媒剤（solvent agent）の存在下で、酸加水分解性のケイ素化合物を０−４のｐＨを有する酸水性溶液中で加水分解することを含むオルトケイ酸の調製法。
【請求項２】  酸加水分解性のケイ素化合物が、シリケートである請求項１記載の方法。
【請求項３】  酸加水分解性のケイ素化合物が、単量体シリケートである請求項２記載の方法。
【請求項４】  酸加水分解性のケイ素化合物が、水和シリケートである請求項２記載の方法。
【請求項５】  酸加水分解性のケイ素化合物が、一般式：
【化１】
2003519068.tif 000001
[式中、Ｒ１、Ｒ２、Ｒ３およびＲ４は、独立して、Ｈ、所望によりヒドロキシル基によって置換されていてもよいＣ１−Ｃ１２アルキルおよびＣ１−Ｃ１２アルコキシから選択されるが、但し、Ｒ１、Ｒ２、Ｒ３およびＲ４が同時にＨとなることはない]
を有する請求項１記載の方法。
【請求項６】  Ｒ１、Ｒ２、Ｒ３およびＲ４が、Ｈ、所望によりヒドロキシル基（群）によって置換されていてもよいＣ１−Ｃ４アルキルおよびＣ１−Ｃ４アルコキシから選択される請求項５記載の方法。
【請求項７】  無毒な溶媒剤が、グリコール、グリセリン、（ポリ）アルキレングリコール、ＤＭＳＯおよびポリソルベート８０から選択される請求項１−６のいずれか１項に記載の方法。
【請求項８】  溶液が１−８０％の溶媒剤を含む請求項１−７のいずれか１項に記載の方法。
【請求項９】  酸溶液が０.２−２.５のｐＨを有する請求項１−８のいずれか１項に記載の方法。
【請求項１０】  形成したオルトケイ酸を無毒な粒状担体と接触させることを含む請求項１−９のいずれか１項に記載の方法。
【請求項１１】  オルトケイ酸を、粒状担体の存在下、イン・サイチュ（in situ）で形成させる請求項１０記載の方法。
【請求項１２】  オルトケイ酸と接触させた後に、担体を押し出す請求項１０または１１記載の方法。
【請求項１３】  ケイ素調製物が、０.０１−５０重量％のケイ素含量を有する請求項１０−１２のいずれか１項に記載の方法。
【請求項１４】  ケイ素調製物が、２５０（μｇ）Ｓｉ.ｈ／ｌを超える８時間にわたる総ケイ素吸収を有する請求項１０−１３のいずれか１項に記載の方法。
【請求項１５】  請求項１−１４のいずれか１項に記載の方法によって調製した、動物飼料、食物または食物補給物、および医薬調製物または化粧調製物を製造するためのオルトケイ酸調製物。
【請求項１６】  請求項１−９のいずれか１項に記載の方法によって得ることができる無毒なオルトケイ酸調製物。
【手続補正書】
【提出日】平成18年10月16日(2006.10.16)
【手続補正１】
【補正対象書類名】明細書
【補正対象項目名】特許請求の範囲
【補正方法】変更
【補正の内容】
【特許請求の範囲】
【請求項１】  主アバランシェ領域（１０、４６）と、
ドリフト領域（１２、４４、４８）と
を備え、
前記主アバランシェ領域（１０、４６）におけるバンドギャップよりも狭いバンドギャップを伴う、狭バンドギャップ領域（４、４０）
をさらに備え、前記狭バンドギャップ領域（４、４０）は、前記主アバランシェ領域（１０、４６）に注入されるトンネル電流を該狭バンドギャップ領域（４、４０）内に発生させるために、前記主アバランシェ領域（１０、４６）に隣接して配置される
ことを特徴とする、衝突電離アバランシェ遷移時間（ＩＭＰＡＴＴ）ダイオードデバイス（２）。
【請求項２】  前記狭バンドギャップ領域（４、４０）は、前記ダイオードに印加されるピーク逆バイアス電圧において、前記主アバランシェ領域（１０、４６）への注入のためのトンネル電流を発生させるように構成される
ことを特徴とする、請求項１に記載のＩＭＰＡＴＴダイオード。
【請求項３】  前記狭バンドギャップ領域（４、４０）は、前記主アバランシェ領域（１０、４６）のエッジに配置される
ことを特徴とする、請求項１又は２に記載のＩＭＰＡＴＴダイオード。
【請求項４】  前記狭バンドギャップ領域（４）は、大量にドープされたコンタクト領域（８）と前記主アバランシェ領域（１０）との間に配置される
ことを特徴とする、請求項１〜３のいずれか１項に記載のＩＭＰＡＴＴダイオード。
【請求項５】  前記狭バンドギャップ領域（４、４０）は、狭バンドギャップ材料の１つの層を備える
ことを特徴とする、請求項１〜４のいずれか１項に記載のＩＭＰＡＴＴダイオード。
【請求項６】  前記狭バンドギャップ領域（４、４０）は、狭バンドギャップ材料の複数の層を備える
ことを特徴とする、請求項１〜４のいずれか１項に記載のＩＭＰＡＴＴダイオード。
【請求項７】  前記ダイオードは、ロー‐ハイ‐ロードーピングプロファイルを有する
ことを特徴とする、請求項１〜６のいずれか１項に記載のＩＭＰＡＴＴダイオード。
【請求項８】  前記ダイオードは、ミサワｐ‐ｉ‐ｎダイオードである
ことを特徴とする、請求項７に記載のＩＭＰＡＴＴダイオード。
【請求項９】  前記ダイオードは、ダブルドリフトダイオードである
ことを特徴とする、請求項１〜６のいずれか１項に記載のＩＭＰＡＴＴダイオード。
【請求項１０】  前記ドリフト領域（１２、４４、４８）の長さは、前記アバランシェ領域（１０、４６）の長さの２から６倍の間である
ことを特徴とする、請求項１〜９のいずれか１項に記載のＩＭＰＡＴＴダイオード。
【請求項１１】  前記ドリフト領域（１２、４４、４８）の長さは、前記アバランシェ領域（１０、４６）の長さの３．５から４．５倍の間である
ことを特徴とする、請求項１０に記載のＩＭＰＡＴＴダイオード。
【請求項１２】  前記トンネル電流の少なくとも一部分を、光励起によって発生させることができるように構成された
ことを特徴とする、請求項１〜１１のいずれか１項に記載のＩＭＰＡＴＴダイオード。
【請求項１３】  前記ダイオード間の発振電圧は、前記アバランシェ領域（１０、４６）の遷移時間の４から１２倍の間の周期を有するような、請求項１〜１２のいずれか１項に記載のＩＭＰＡＴＴダイオードを動作させる方法。
【請求項１４】  前記発振電圧は、前記アバランシェ領域（１０、４６）の遷移時間の７．５から８．５倍の間の周期を有する
ことを特徴とする、請求項１３に記載の方法。
【請求項１５】  前記トンネル電流の少なくとも一部分を光学的に励起する段階
を含むことを特徴とする、請求項１〜１３のいずれか１項に記載のＩＭＰＡＴＴダイオードを動作させる方法。